(57)【要約】      （修正有）【課題】災害時に高層建造物から大勢の人が短時間で避難できる暖降装置を提供する。【解決手段】手摺や窓枠に係止するクリップ部１ａを備えた降下ロ−プ１が巻き解される回転を複数のギヤ２ａ、３、４にて増速し、最終増速されたギヤに半径方向移動自由に設置された錘を備え、その遠心力で摩擦力を得て、落下力を低下させ落下速度を遅くする。ギヤに人の手で動かせる手動板９を軸支して梃子の原理で大きな力を与えられるようにし、摩擦力を増す調整を出来る。【選択図】図１
0003171721.tif 000002
【実用新案登録請求の範囲】
【請求項１】
高層階からの避難に使用する降下装置において、手摺や窓枠に係止するクリップ部１ａを備えた降下ロ−プ１が巻き解される回転を複数のギヤにて増速し、最終増速されたギヤに半径方向移動自由に設置された錘を備え、その遠心力で摩擦力を得て、落下力を低下させ落下速度を遅くする緩降装置であり、上記構成されるギヤに人の手で動かせる手動板を軸支して梃子の原理で大きな力を与えられるようにし、摩擦力を増す調整を出来るようにした緩降装置。
【請求項２】
上記緩降装置を使用する際、ベランダや窓から身を乗り出させ易いように、ベランダに掛けるフック板１２を有した筒で構成され、その下部は片足のみをかけることしか出来ない下部の幅を小さくした梯子、又はクリップ部１ａを有した吊下げロ−プ１４で構成された前記と同様幅を小さくした梯子を含めて、多層階から殆ど同時に降下可能とした、降下装置。
【考案の詳細な説明】
【技術分野】
【０００１】  本緩降装置は、火災などの避難において高層のマンションやホテルなどのベランダ・窓からや、ゴンドラ・観覧車などからの降下に使用する。
本装置は個人毎での使用であり、収納場所から降下箇所まで運び易いように軽量化されたものであるので、梯子車の届かない高層からの避難には特に適用価値が大きい。
【背景技術】
【０００２】  ゆっくり降下する装置としては、電気的に降下速度を制御するものもあるが、装置が大きくて設置スペ−スを大きく要したし、吊下げ用の梁も大きくてより上の階から降りる人の障害となった。
螺旋の滑り台である布製筒のものもあるが、前の人が降下し終わるのを確認してから降りなければ、途中でぶつかって打撲の危険性も懸念されるし、上記同様上の階の人にとっては障害となるので、横位置をずらさなければならず、多くの階の対応は困難なものであった。
【先行技術文献】
【特許文献】
【０００３】  ゆっくり降下する機構については、避難梯子の降下速度を抑制すべく錘の遠心摩擦力を利用した緩降装置が、日本国特許：特開平７−８８２０３にて既に出願されている。
しかし、その図からは、避難梯子を繰り出すワイヤ−ロ−プの巻き付けは錘の回転と１：１になっているので、大きな錘を使わないと大きな遠心摩擦力が得られず、ひいては緩降装置が重く大きなものとなった筈である。
【考案の概要】
【考案が解決しようとする課題】  大きな梯子車は少ないし、マンションなどの高層建造物は多くなって尚且つ梯子車の高さを超えるものもあり、災害時には停電の可能性は高いのでエレベ−タ−が停止することを考えると、大勢の人が短時間で避難出来るものが無い状況である。
オフィスビル・複合ビルでは階段は建物内であり、火炎が建物内に充満し、階段を降りられない場合は多く、窓外に避難するしかない状況は多いが、避難梯子では小さい子供は降りるのが遅く、低層階では多層階の人が降りてきて順番待ちとなり、避難に時間が掛る問題が想定された。
【課題を解決するための手段】  高層から短時間で避難出来るべく、個人毎に備えることが可能であり概ね一定速度で降下するべく、降下にはロ−プを用いそのロ−プの巻き解れ速度を減速するのにギヤの噛み合わせで増速した遠心力による摩擦を用い、増速によって軽量化されて個人が簡単に持ち運び出来るようにし、ベランダや窓際に持って行って、装置を体に結び付けて降りる方法とした。
【実施例】  ブレ−キ力を働かせる機構を図１、２にて説明する。
降下ロ−プ１はベランダ手摺などに係止され装置が降下した時には巻き解される。巻き解しにてリール２は回転し、ギヤ部２ａは小ギヤ３を増速して回す。小ギヤ３と大ギヤ４は回転が連結されていて中心ギヤ５を増速して回す。
中心ギヤ５に半径方向移動自由に備えられた錘板６はその先端の錘部６ａは、中心ギヤ５の回転にて遠心力を与えられ摩擦板７に押し付けられて摩擦力が発生する。
装置全体は体掛けロ−プ８に引っ張られて降下するが、上記した錘板６の摩擦力が中心ギヤ５・大ギヤ４・小ギヤ３を逆に経由してギヤ部２ａへの制動力として働き、落下速度を減速させる。
降下途中に止めたい時は、手動板９とカバ−１０の取っ手部１０ａをつかんで強く握れば、手動板９が中心ギヤに摩擦力を付加して制動力を増し、止められる。
降下については、ベランダから降りるなどの際の１例を図３に示す。
緩降装置と筒梯子１１と椅子をベランダなどに運び、筒梯子１１のフック板１２を開いてベランダ手摺や窓のガラスを砕いた窓枠に掛け、降下ロ−プ１のクリップ部１ａをテーブル脚・ドアノブ・窓の縦枠など室内外を問わず適宜巻き回してロ−プ素線を刺し通して降下準備を為し、椅子の上に乗って掴み部１１ａを掴んで手摺を跨ぐ。
離間板１３は、筒梯子１１の中足載せ部１１ｂをベランダ外面や壁から離して足を載せられる間隔を空けるのと、体が筒梯子１１から離れた後もベランダ外面や壁から離れた位置を保てるように、降下ロ−プ１が下足載せ部１１ｃを通ることもあり、降下ロ−プ１をベランダ外面や壁から離れさせる。
下足載せ部１１ｃは上の階から降りてくる人の妨げになり難いよう、巾を狭くしている。
体掛けロ−プ８は脇の下を通すなどして用いれば、筒梯子１１を離れた後は両手は自由に使えるので、下の階に人が身を乗り出していた場合は、左手で手動板９と取っ手部１０ａをつかんで制動し、右手で避けるなどして、多層階での同時避難が可能となる。
図４は、格納時に省スペースとすべく梯子上部を吊下げロ−プ１４を利用したものであり、より軽量化となるが、降下準備を為す対象は手摺など横枠が存在する場合に限られる。
【図面の簡単な説明】
【図１】本緩降装置の断面図
【図２】上記の１部断面を移動した側面断面図
【図３】筒梯子での降下開始状態の図
【図４】吊下げロ−プ利用での降下開始状態の図
【符号の説明】１        降下ロ−プ
１ａ      クリップ部
２        リール
２ａ      ギヤ部
３        小ギヤ
４        大ギヤ
５        中心ギヤ
６        錘板
６ａ      錘部
７        摩擦板
８        体掛けロ−プ
９        手動板
１０      カバ−
１０ａ    取っ手部
１１      筒梯子
１１ａ    椢み部
１１ｂ    中足載せ部
１１ｃ    下足載せ部
１２      フック板
１３      離間板
１４      吊下げロ−プ
【図１】
0003171721.tif 000003
【図２】
0003171721.tif 000004
【図３】
0003171721.tif 000005
【図４】
0003171721.tif 000006
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
高層階からの避難に使用する降下装置において、手摺や窓枠に係止するクリップ部１ａを備えた降下ロ−プ１が巻き解される回転を複数のギヤにて増速し、最終増速されたギヤに半径方向移動自由に設置された錘を備え、その遠心力で摩擦力を得て、落下力を低下させ落下速度を遅くする緩降装置であり、上記構成されるギヤに人の手で動かせる手動板を軸支して梃子の原理で大きな力を与えられるようにし、摩擦力を増す調整を出来るようにした緩降装置。